(57)【特許請求の範囲】
【請求項１】
互いに直交する前後方向と上下方向、およびこれら両方向に直交する幅方向を有し、前方にラインを取り付け可能であり、後方にフックを備えた金属塊からなるルアーにおいて、
前記金属塊は、前記前後方向に前方塊状部分と後方塊状部分とこれら両塊状部分間に介在し前記両塊状部分よりも前記前後方向と上下方向と幅方向との寸法が小さい連結部とを有し、前記前方塊状部分はその前端部が前記ラインを取り付け可能に形成されており、前記後方塊状部分はその後部から後方へ向かって前記フックが延出し、前記フックはその先端が前記前方へ向くように前記上方向ヘ曲げられており、前記前方塊状部分と後方塊状部分とは前記幅方向の横断面の寸法が上方から下方へ向かうにつれて次第に大きくなる部位を有し、前記部位のそれぞれでは、前記下方向へ向いた面がほぼ扁平に形成されていることを特徴とする前記ルアー。
【請求項２】
前記前方塊状部分と後方塊状部分とにおけるほぼ扁平に形成されている前記面を除く残余の面がいずれも凸曲面に形成されている請求項１記載のルアー。
【請求項３】
前記連結部の中央において前記ルアーを前記前後方向に二分して得られる前部と後部との重量比が８０：２０〜２０：８０の範囲にある請求項１または２に記載のルアー。
【請求項４】
前記前方塊状部分の前端部において前記下方向へ向いた面は、前記後方へ向かって下り勾配となる傾斜がつけられている請求項１〜３のいずれかに記載のルアー。
【発明の詳細な説明】
【０００１】
【発明の属する技術分野】
この発明は、金属製のルアーに関する。
【０００２】
【従来の技術】
実開平６−６４４５８号公報には、金属製の中実ルアーが開示されている。このルアーは、前後方向と上下方向と幅方向とを有し、前後方向に長く幅方向に薄くかつ扁平に作られていて、下方と後方とにフックを取り付けることができる。
【０００３】
特開平１０−３１３７３５号公報には、金属製の中空ルアーが開示されている。このルアーは前後方向に長い円筒状のもので、前方にラインが取り付けられる。
【０００４】
【発明が解決しようとする課題】
前記公知の金属製中実ルアーは、体積が小さい割に重いもので、ラインコントロールがよければ機敏な動作を示すが、その形状と重さとによってキャスティングしたときには着水してからの沈降速度が速く、水中に浮游させることが難しい。一方、前記公知の金属製中空ルアーは、体積が大きい割に軽いもので、水面または水中に浮游させることは容易であるが、その形状と軽さとによってラインによる動作のコントロールが必ずしも容易ではない。
【０００５】
この発明が課題とするところは、ラインによる動作のコントロールが容易であって、しかも水中に浮游させることが可能な金属塊からなる中実ルアーの提供である。
【０００６】
【課題を解決するための手段】
前記課題解決のために、この発明が対象とするのは、互いに直交する前後方向と上下方向、およびこれら両方向に直交する幅方向を有し、前方にラインを取り付け可能であり、後方にフックを備えた金属塊からなるルアーである。
【０００７】
かかるルアーにおいて、この発明が特徴とするところは、次のとおりである。前記金属塊は、前記前後方向に前方塊状部分と後方塊状部分とこれら両塊状部分間に介在し前記両塊状部分よりも前記前後方向と上下方向と幅方向との寸法が小さい連結部とを有する。前記前方塊状部分はその前端部が前記ラインを取り付け可能に形成されており、前記後方塊状部分はその後部から後方へ向かって前記フックが延出し、前記フックはその先端が前記前方へ向くように前記上方向ヘ曲げられている。前記前方塊状部分と後方塊状部分とは前記幅方向の横断面の寸法が上方から下方へ向かうにつれて次第に大きくなる部位を有し、前記部位のそれぞれでは、前記下方向へ向いた面がほぼ扁平に形成されている。
【０００８】
【発明の実施の形態】
添付の図面を参照して、この発明に係るルアーの詳細を説明すると、以下のとおりである。
【０００９】
図１，２に側面図と斜視図とで示されたルアー１は、金属塊からなる中実のルアー本体２とフック３とを有する。本体２は、図１の水平方向に一致する前後方向と、垂直方向に一致する上下方向と、紙面に直交する幅方向とを有し、図の右手である前方にラインを取り付けるための環状部４が形成され、図の左手である後方からはフック３が延出している。
【００１０】
かかる本体２は、密度が２．５ｇ／ｃｍ３以上、より好ましくは３ｇ／ｃｍ３以上、さらに好ましくは４ｇ／ｃｍ３以上の金属からなる前方塊状部分６と後方塊状部分７とこれら両部６，７間に介在する連結部分８とを有する。連結部分８は、前後方向と上下方向と幅方向との寸法が前後の塊状部分６，７のいずれよりも小さく形成され、本体２が連結部８でくびれた状態にある。前方塊状部分６は、頂部１１と底部１２と側部１３とによって周面が形成され、頂部１１には円形の凹部１６が形成されている。底部１２において前端部１４から下方へ向かう部分１０は、斜め下方へ延びるように傾斜している。後方塊状部分７は、頂部２１と底部２２と側部２３とによって周面が形成され、後端部にはフック３とともに後方へ延びるワーム取り付け部１９を有し、その取り付け部１９には小突起１８が形成されている。
【００１１】
フック３は、後方塊状部分７から延出した後に、先端部２６が前方へ向くように上方に向かって曲げられている。
【００１２】
図３は、図１のルアー１を矢印２０方向から、すなわち後方から前方へ向かって見たときの図面である。本体２の前方塊状部分６と後方塊状部分７とは、それぞれの高さ（縦断面の寸法、以下同じ）Ｈとｈとを有し、前後方向の少なくとも一部分においてそれぞれの幅（横断面の寸法、以下同じ）Ｗ，ｗが頂部１１，２１から底部１２，２２へ向かうにつれて徐々に大きくなるように形成されるとともに、底部１２，２２を形成している下方向へ向いた面が平坦に形成されている。また、前方塊状部分６と後方塊状部分７とにおいて、底部１２，２２の平坦な面を除く残余の面はおおむね凸曲面に形成されている。かような前方塊状部分６と後方塊状部分７とにおいて、高さと幅との比Ｈ：Ｗおよびｈ：ｗはいずれも１：０．８〜１：３の範囲、より好ましくは１：２の範囲にあり、連結部８の中央でルアー１を前後方向へ二分したときに得られる前方部分と後方部分との重量比が８０：２０〜２０：８０の範囲にある。前方塊状部分６の高さＨは後方塊状部分７の高さｈよりも高くすることも、低くすることも、また同じようにすることもできる。加えて、前方塊状部分６の幅Ｗは後方塊状部分７の幅ｗよりも大きくすることも、小さくすることも、また同じようにすることもできる。
【００１３】
図４は、ルアー１の使用状態を示す斜視図である。本体２の前方塊状部分６では、環状部４にスナップスイーベル３１を介してライン（図示せず）が取り付けられ、頂部１１の凹部１６にはデニール数の大きいナイロン糸などを複数条束ねることによって形成されたガード部材３２が必要に応じて挿入される。連結部８には多数のゴムひもからなるラバースカート３３が糸や針金など（図示せず）によって固定される。
【００１４】
このように形成されたルアー１は、密度の低い熱可塑性プラスチックや中空金属製のルアーと異なり、それが密度の高い中実の金属塊であることによって、ラインをコントロールすれば機敏な動作を示すばかりでなく、その底面が平坦であることによって、水面に対してできるだけ平行となるようにキャスティングすると、水面上を何回かスキップして遠くにまで届くようになる。また、このルアー１が水中を沈降するときには、底部１２，２２が大きな抵抗となり、沈降速度が遅くなってルアー１の水中での滞溜時間が長くなるばかりでなく、水中を前後方向や幅方向へゆらぎながら降下するようになる。これらの挙動は、いずれも魚の関心を魅くことができ、大きな釣果をあげることに寄与する。前方塊状部分６は前端部１４から傾斜して下方へ向かう部分１０が存在するから、ラインに引張られてルアー１が前進するときに、ルアー１は岩などの障害物に当ってもそれを滑るようにして乗り越えることができる。後方塊状部分７における小突起１８は、後端部１９にゴム等で作られたワームを取り付けたときに、そのワームが後端部１９から抜け落ちることを防止する。この発明における金属塊は、防錆のためや装飾のために、その表面を熱可塑性プラスチックで被覆することができる。
【００１５】
【発明の効果】
この発明に係るルアーは、中実の金属塊からなるものであるが、底面が扁平に形成されているから水中での滞溜時間が長く、しかもラインコントロールが容易である。
【図面の簡単な説明】
【図１】ルアーの側面図。
【図２】ルアーの斜視図。
【図３】図１のルアーを後方から見たときの図。
【図４】使用状態にあるルアーの斜視図。
【符号の説明】
１      ルアー
２      金属塊（本体）
３      フック
６      前方塊状部分
７      後方塊状部分
８      連結部
１１      面（底面）
２１      面（底面）
２６      先端
【図１】
0003623445.tif 000002
【図２】
0003623445.tif 000003
【図３】
0003623445.tif 000004
【図４】
0003623445.tif 000005